(57)【特許請求の範囲】
【請求項１】
車体等の固定部に固定または移動可能に設けた固定側フレーム１の中央部に移動側回転フレーム２の中央部を回転支持機構５により回転のみ自在に取付け、前記移動側回転フレーム２の移動側横本体部１３の後側の下方の左右両側には、前記移動側回転フレーム２の端縁と移動側回転フレーム２の移動側環状起立壁１２との間に所定の大きさを有する左右一対の補強部材２０を、前記移動側横本体部１３の下面に対して所定間隔を置いて夫々設け、該補強部材２０の一端は前記移動側横本体部１３に設けたフレーム取付軸３０に固定し補強部材２０の他端は前記移動側環状起立壁１２に夫々固定し、前記移動側回転フレーム２と固定側フレーム１との間の後側の下方の左右両側には、移動側回転フレーム２の回転の案内と移動側回転フレーム２を上方に持ち上げる荷重を支持とをする案内兼荷重支持部材２１を夫々設け、前記各案内兼荷重支持部材２１は、平面視移動側回転フレーム２の回転中心と同心の円弧形状であって断面がＵ型状の係合部２２および係合部２３を夫々有する移動側案内部材２４および固定側案内部材２５により形成し、前記Ｕ型係合部２２とＵ型係合部２３は、互いに上向きと下向きになって係合するように構成し、前記各移動側案内部材２４は前記補強部材２０の下面側に設け、前記移動側回転フレーム２の後側の左右両側には移動側回転フレーム２の移動側横本体部１３と前記補強部材２０と前記移動側案内部材２４とを縦に貫通する前記フレーム取付軸３０を設け、前記移動側案内部材２４より下方に突き出るフレーム取付軸３０には下方に突き出る上側移動支持部材３１を設け、上側移動支持部材３１の下方の固定側フレーム１の前記固定側案内部材２５には下側支持部材３２を設け、上側移動支持部材３１と下側支持部材３２は硬質合成樹脂により夫々形成すると共に、上側移動支持部材３１の下面と下側支持部材３２の上面とが側面視重なるように設定した回転シート。
【発明の詳細な説明】
【０００１】
【産業上の利用分野】
本発明は、所謂回転シート機構を有する車両用のシートに係るものである。
【０００２】
【従来技術】
従来、車体等の固定部に固定または移動可能に設けた固定側フレームの中央部に移動側回転フレームの中央部を回転支持機構により回転のみ自在に取付け、前記回転支持機構の周縁の移動側回転フレームと固定側フレームとの間には互いに噛み合うように係合する係合部材を設けた回転シートは公知である。
また、前記一方の係合部材の下方の固定側フレームに上側に突き出る下側支持部材を設けた構成は公知である。
また、移動側回転フレームの所定位置に硬質合成樹脂により下方に突き出る支持部材を設けた構成も公知である。
【０００３】
【発明が解決しようとする課題】
前記公知例のうち、回転支持機構の周縁の移動側回転フレームと固定側フレームとの間には互いに噛み合うように係合する係合部材を設けた構成は、回転中心から近いため、荷重を充分に支持できないという課題がある。
即ち、回転支持機構の大きさは必ず移動側回転フレームの大きさより小さく、それゆえ、移動側回転フレームには必ず回転支持機構に直接支持されない片持部分が発生し、この片持部分の支持が弱くなるという課題がある。
また、同様に、回転支持機構の一部下方の固定側フレームに上側に突き出る下側支持部材を設けた構成では、回転中心から近いため、回転中心から離れた部分に掛かる荷重が充分に支持されないという課題がある。
また、同様に、移動側回転フレームの所定位置に硬質合成樹脂により下方に突き出る支持部材を設けた構成では、支持部材の下端と固定側フレームの上面との間に隙間があって、移動側回転フレームの変形により支持部材が当接したときに荷重を支持できるが、移動側回転フレームが上下振動すると、支持部材の下端と固定側フレームの上面との接触音（当接音）が出るという別の課題も生じる。
そこで、荷重に強い構成にすると共に、異音の発生を解消または抑制したものである。
【０００４】
【発明の目的】
回転機構の耐荷重性の向上、異音の発生防止。
【０００５】
【課題を解決するための手段】
本発明は、車体等の固定部に固定または移動可能に設けた固定側フレーム１の中央部に移動側回転フレーム２の中央部を回転支持機構５により回転のみ自在に取付け、前記移動側回転フレーム２の移動側横本体部１３の後側の下方の左右両側には、前記移動側回転フレーム２の端縁と移動側回転フレーム２の移動側環状起立壁１２との間に所定の大きさを有する左右一対の補強部材２０を、前記移動側横本体部１３の下面に対して所定間隔を置いて夫々設け、該補強部材２０の一端は前記移動側横本体部１３に設けたフレーム取付軸３０に固定し補強部材２０の他端は前記移動側環状起立壁１２に夫々固定し、前記移動側回転フレーム２と固定側フレーム１との間の後側の下方の左右両側には、移動側回転フレーム２の回転の案内と移動側回転フレーム２を上方に持ち上げる荷重を支持とをする案内兼荷重支持部材２１を夫々設け、前記各案内兼荷重支持部材２１は、平面視移動側回転フレーム２の回転中心と同心の円弧形状であって断面がＵ型状の係合部２２および係合部２３を夫々有する移動側案内部材２４および固定側案内部材２５により形成し、前記Ｕ型係合部２２とＵ型係合部２３は、互いに上向きと下向きになって係合するように構成し、前記各移動側案内部材２４は前記補強部材２０の下面側に設け、前記移動側回転フレーム２の後側の左右両側には移動側回転フレーム２の移動側横本体部１３と前記補強部材２０と前記移動側案内部材２４とを縦に貫通する前記フレーム取付軸３０を設け、前記移動側案内部材２４より下方に突き出るフレーム取付軸３０には下方に突き出る上側移動支持部材３１を設け、上側移動支持部材３１の下方の固定側フレーム１の前記固定側案内部材２５には下側支持部材３２を設け、上側移動支持部材３１と下側支持部材３２は硬質合成樹脂により夫々形成すると共に、上側移動支持部材３１の下面と下側支持部材３２の上面とが側面視重なるように設定した回転シートとしたものである。
【０００６】
【実施例】
本発明の実施例を図面により説明すると、１は車両等の固定部に移動自在または固定状態に設けた固定側フレームであり、固定側フレーム１には縦軸回転させてシートの向きを変更できるように移動側回転フレーム２を回転自在に取付ける。
固定側フレーム１と移動側回転フレーム２との取付構成は任意であるが、一例を示すと、固定側フレーム１の中央に円形の固定側開口部３を設け、移動側回転フレーム２の中央には前記固定側開口部３に対応する移動側開口部４を形成し、固定側開口部３および移動側開口部４の周囲に固定側フレーム１に対して移動側回転フレーム２を回転のみ自在に支持させる回転支持機構５を設ける。
回転支持機構５は、固定側フレーム１の固定側開口部３の周囲に環状に固定側環状取付部６を設け、固定側環状取付部６の外側に環状の環状ローラ部材載置部７を設け、環状ローラ部材載置部７の外周に下方に向けて屈曲させた環状縦板部８を形成し、環状縦板部８に続いて固定側横本体部９を設け、移動側回転フレーム２の移動側開口部４の周囲に環状に移動側環状挟持部１１を設け、移動側環状挟持部１１の外周に環状の移動側環状起立壁１２を設け、移動側環状起立壁１２に続いて移動側横本体部１３を設ける。
【０００７】
そして、固定側フレーム１の環状ローラ部材載置部７の上面にローラ部材１５を載置し、この固定側フレーム１の環状ローラ部材載置部７上に移動側回転フレーム２の移動側環状挟持部１１を載置し、移動側環状挟持部１１の上方にローラ部材１５を介してリング状の固定側環状挟持体１６を載せ、固定側環状挟持体１６と固定側フレーム１とにより移動側回転フレーム２を挟持して固定する。１７はリベット等の固定具である。
しかして、移動側回転フレーム２の後側の左右両側下面には補強部材２０を設け、補強部材２０の下方には移動側回転フレーム２の回転の案内と移動側回転フレーム２の上方持ち上がりの防止とを果たす案内兼荷重支持部材２１を設ける。案内兼荷重支持部材２１は、Ｕ型係合部２２とＵ型係合部２３とを夫々有する移動側案内部材２４と固定側案内部材２５とにより形成し、前記Ｕ型係合部２３およびＵ型係合部２２は平面視移動側回転フレーム２の回転中心と同心の円弧形状に形成すると共に、互いに上向きと下向きになって係合するように構成する。
【０００８】
実施例では、移動側案内部材２４のＵ型係合部２２は上向きＵ型形状に形成し、固定側案内部材２５のＵ型係合部２３は下向きＵ型形状に形成すると共に、移動側回転フレーム２の回転中心に対してＵ型係合部２２の内側から外側に向けて上方からＵ型係合部２２に係合するように配置すると、荷重を強固に支持して、好適である。
しかして、前記案内兼荷重支持部材２１は、回転支持機構５の固定側フレーム１および移動側回転フレーム２との回転接触部分（環状ローラ部材載置部７と移動側環状挟持部１１等）から可及的に離れた箇所に設ける。
即ち、回転支持機構５の固定側フレーム１および移動側回転フレーム２との回転接触部分の面積が広いと、移動側回転フレーム２を固定側フレーム１が安定して支持するが、固定側フレーム１と移動側回転フレーム２の夫々の面積に制約があること、移動側回転フレーム２が回転移動する部分に回転固定装置等の種々の構成品を収容する必要があることから、回転支持機構５の回転接触部分より離れた位置にも移動側回転フレーム２が位置し、この部分の移動側回転フレーム２に掛かる剥し方向の荷重を回転支持機構５とは別に案内兼荷重支持部材２１が支持する。
【０００９】
しかして、移動側回転フレーム２の補強部材２０には、車両座席シートのフレームを取付ける縦のフレーム取付軸３０を設け、フレーム取付軸３０は移動側回転フレーム２および補強部材２０を貫通し、フレーム取付軸３０の下部には上側移動支持部材３１を設け、上側移動支持部材３１の下方には下側支持部材３２を設ける。上側移動支持部材３１と下側支持部材３２は硬質合成樹脂により形成し、上側移動支持部材３１の下面と下側支持部材３２の上面とが側面視重なるように設定し、移動側回転フレーム２を回転させて前向きの元の位置に戻したとき、上側移動支持部材３１の下面が下側支持部材３２の上面に乗り上げて、両者は荷重を支持する。
【００１０】
即ち、上側移動支持部材３１の下面が下側支持部材３２の上面に乗り上げると、固定側フレーム１の固定側横本体部９と、移動側回転フレーム２の移動側横本体部１３と、回転支持機構５部分とにより側面視箱状に互いが互いの強度メンバーとなって、荷重を支持する。３３は固定側環状挟持体１６の開口部、３４は固定側環状挟持体１６の起立部、３５はスライドレール、３６は車両用シートのフレームまたは取付用のブラケット、３７はボルト、ナット等の固定具。
【００１１】
【作用】
次に作用を述べる。
車体に固定する固定側フレーム１に移動側回転フレーム２を任意の回転支持機構５により回転のみ自在に取付け、通常の前向きと後向きとに着座向き変更自在にし、移動側回転フレーム２の後側の左右何れか一側の固定側フレーム１との間には移動側回転フレーム２の回転の案内と移動側回転フレーム２の上方持ち上がりの防止とを果たす案内兼荷重支持部材２１を設けているから、案内兼荷重支持部材２１は移動側回転フレーム２の回転を案内すると共に、移動側回転フレーム２を上方に持ち上げる方向の荷重を支持する。
【００１２】
即ち、固定側フレーム１と移動側回転フレーム２は回転支持機構５を介して取付けられているので、回転支持機構５より離れた部分は荷重に対して弱くなるが、案内兼荷重支持部材２１を設けているので、荷重を強固に支持すると共に、回転支持機構５の設計の自由度を広げられる。
実施例の案内兼荷重支持部材２１は、Ｕ型係合部２２を有する移動側案内部材２４とＵ型係合部２３を有する固定側案内部材２５とにより形成し、Ｕ型係合部２２およびＵ型係合部２３は平面視移動側回転フレーム２の回転中心と同心の円弧形状に形成しているから、移動側回転フレーム２を回転させると、移動側案内部材２４は固定側案内部材２５に沿って回転し、移動側回転フレーム２の回転を円滑にする。
【００１３】
しかも、Ｕ型係合部２２およびＵ型係合部２３は、下向きのＵ型係合部２３が上方から上向きのＵ型係合部２２に係合するように構成しているから、移動側回転フレーム２に上方に持ち上げる方向の荷重が掛かると、Ｕ型係合部２２とＵ型係合部２３により支持する。
この場合、Ｕ型係合部２２は、移動側回転フレーム２の移動側横本体部１３の下方に所定間隔を置いて設けた補強部材２０の下方に位置させ、補強部材２０は移動側回転フレーム２の端縁（前向きにおける後縁）と移動側環状起立壁１２とに固定しているから、補強部材２０と移動側回転フレーム２により箱状になった部分に案内兼荷重支持部材２１が位置して、一層、強固に荷重を支持する。
【００１４】
また、移動側案内部材２４のＵ型係合部２２は上向きＵ型形状に形成し、固定側案内部材２５のＵ型係合部２３は下向きＵ型形状に形成すると共に、移動側回転フレーム２の回転中心に対してＵ型係合部２２の内側から外側に向けて上方からＵ型係合部２２に係合するように配置しているから、荷重を強固に支持して、好適である。
また、案内兼荷重支持部材２１は、回転支持機構５の固定側フレーム１および移動側回転フレーム２との回転接触部分から可及的に離れた箇所に設けているから、回転支持機構５と共に荷重を支持して、合理的な構成となる。
【００１５】
しかして、補強部材２０を設けた部分の移動側回転フレーム２には、移動側回転フレーム２の移動側横本体部１３と補強部材２０を縦に貫通するフレーム取付軸３０を設け、補強部材２０より下方に突き出るフレーム取付軸３０には下方に突き出る上側移動支持部材３１を設け、上側移動支持部材３１の下方の固定側フレーム１には下側支持部材３２を設け、上側移動支持部材３１と下側支持部材３２は硬質合成樹脂により形成し、上側移動支持部材３１の下面と下側支持部材３２の上面とが側面視重なるように設定しているから、移動側回転フレーム２を回転させて前向きの元の位置に戻したとき、上側移動支持部材３１の下面が下側支持部材３２の上面に乗り上げる。
【００１６】
したがって、上側移動支持部材３１の下面が下側支持部材３２の上面に乗り上げると、単一の軸部材を固定側フレーム１と移動側回転フレーム２の間に設けたのと、同様に、荷重を支持する。
特に、固定側フレーム１の固定側横本体部９と、移動側回転フレーム２の移動側横本体部１３と、回転支持機構５部分とにより側面視箱状に互いが互いの強度メンバーとなって、荷重を支持する。
また、上側移動支持部材３１と下側支持部材３２は夫々移動側回転フレーム２と固定側フレーム１に設けられているから、移動側回転フレーム２の回転にも影響せず、回転機構および回転に影響を与えることなく、荷重を支持でき、合理的な構成となる。
【００１７】
【効果】
本発明は、車体等の固定部に固定または移動可能に設けた固定側フレーム１の中央部に移動側回転フレーム２の中央部を回転支持機構５により回転のみ自在に取付け、前記移動側回転フレーム２の移動側横本体部１３の後側の下方の左右両側には、前記移動側回転フレーム２の端縁と移動側回転フレーム２の移動側環状起立壁１２との間に所定の大きさを有する左右一対の補強部材２０を、前記移動側横本体部１３の下面に対して所定間隔を置いて夫々設け、該補強部材２０の一端は前記移動側横本体部１３に設けたフレーム取付軸３０に固定し補強部材２０の他端は前記移動側環状起立壁１２に夫々固定し、前記移動側回転フレーム２と固定側フレーム１との間の後側の下方の左右両側には、移動側回転フレーム２の回転の案内と移動側回転フレーム２を上方に持ち上げる荷重を支持とをする案内兼荷重支持部材２１を夫々設け、前記各案内兼荷重支持部材２１は、平面視移動側回転フレーム２の回転中心と同心の円弧形状であって断面がＵ型状の係合部２２および係合部２３を夫々有する移動側案内部材２４および固定側案内部材２５により形成し、前記Ｕ型係合部２２とＵ型係合部２３は、互いに上向きと下向きになって係合するように構成し、前記各移動側案内部材２４は前記補強部材２０の下面側に設け、前記移動側回転フレーム２の後側の左右両側には移動側回転フレーム２の移動側横本体部１３と前記補強部材２０と前記移動側案内部材２４とを縦に貫通する前記フレーム取付軸３０を設け、前記移動側案内部材２４より下方に突き出るフレーム取付軸３０には下方に突き出る上側移動支持部材３１を設け、上側移動支持部材３１の下方の固定側フレーム１の前記固定側案内部材２５には下側支持部材３２を設け、上側移動支持部材３１と下側支持部材３２は硬質合成樹脂により夫々形成すると共に、上側移動支持部材３１の下面と下側支持部材３２の上面とが側面視重なるように設定した回転シートとしたものであるから、回転支持機構５とは別に回転中心から離れた部分で荷重を支持でき、簡単な構成で回転の案内と荷重支持でき、回転に干渉しないで異音も発生させずに、支持でき、フレーム強度を向上させる。
【図面の簡単な説明】
【図１】    案内兼荷重支持部材を設けた部分の側面図。
【図２】    回転シートの回転機構のフレームの平面図。
【図３】    支持部材を設けた部分の縦断側面図。
【図４】    案内兼荷重支持部材を設けた部分の縦断側面図。
【図５】    移動側回転フレームの平面図。
【図６】    固定側フレームの平面図。
【図７】    固定側環状挟持体の平面図。
【図８】    案内兼荷重支持部材を設けた部分の平面図。
【符号の説明】
１…固定側フレーム、２…移動側回転フレーム、３…固定側開口部、４…移動側開口部、５…回転支持機構、６…固定側環状取付部、７…環状ローラ部材載置部、８…環状縦板部、９…固定側横本体部、１１…移動側環状挟持部、１２…移動側環状起立壁、１３…移動側横本体部、１５…ローラ部材、１６…固定側環状挟持体、２０…補強部材、２１…案内兼荷重支持部材、２２…Ｕ型係合部、２３…Ｕ型係合部、２４…移動側案内部材、２５…固定側案内部材、３０…フレーム取付軸、３１…上側移動支持部材、３２…下側支持部材。
【図１】
0004825359.tif 000002
【図２】
0004825359.tif 000003
【図３】
0004825359.tif 000004
【図４】
0004825359.tif 000005
【図５】
0004825359.tif 000006
【図６】
0004825359.tif 000007
【図７】
0004825359.tif 000008
【図８】
0004825359.tif 000009